(57)【要約】【解決手段】デスクＤの背面に着脱自在に連結する枠体状を成した脚体１０を設ける。脚体１０の上部に着脱自在に装着して配線ケーブルＰを収納するケーブルトレイ２０を設ける。ケーブルトレイ２０の開口上部を施蓋する蓋体３０を設ける。ケーブルトレイ２０に、収納した配線ケーブルＰの発熱を放出する放熱孔２１を多数設ける。デスクＤに隣接する蓋体３０の長手側縁に沿って、配線ケーブルＰをケーブルトレイ２０の内部に導入する配線ブラシ部３１を設ける。【効果】一般のデスクにパソコン等を載置する場合でも、合理的な配線が可能になる。オフィスや学校等で多数のパソコンを互いに接続する場合も容易に、且つ、安全に行える。【選択図】　　　　図１
2004135736.tif 000002
【特許請求の範囲】
【請求項１】
デスクの背面に沿って配する枠体状を成した脚体と、該脚体の上部に着脱自在に装着して配線ケーブルを収納するケーブルトレイと、該ケーブルトレイの開口上部を施蓋する蓋体とから成ることを特徴とするデスク用配線装置。
【請求項２】
前記ケーブルトレイは、収納した配線ケーブルの発熱を放出する放熱孔を多数設けた請求項１記載のデスク用配線装置。
【請求項３】
前記蓋体は、ケーブルトレイ施蓋時にデスクの上面と略等しい高さに設置され、デスクに隣接する蓋体の長手側縁に沿って、配線ケーブルを前記ケーブルトレイの内部に導入する配線ブラシ部を設けた請求項１記載のデスク用配線装置。
【請求項４】
前記蓋体の上面に放熱用のスリットを開穿し、配線ケーブルを前記ケーブルトレイの内部に垂直方向に導入する切欠口を設けた請求項１記載のデスク用配線装置。
【請求項５】
前記脚体の内側に機器取付用のサイドボードを設けた請求項１記載のデスク用配線装置。
【発明の詳細な説明】
【０００１】
【発明の属する技術分野】
本発明は、例えば、オフィス等の事務用デスクにパソコンや周辺機器を設置する際に好適なデスク用配線装置に関する。
【０００２】
【従来の技術】
オフィスや学校などで使用する多数のパソコンをネットワークとして使用する際に用いられるコンピュータデスクに関する発明が特許文献１乃至３に記載されている。これらの特許文献は、いずれも、配線作業の作業性向上を図ることを目的として開発されている。
【０００３】
特許文献１は、デスク天板の裏面に、第１のケーブル収納部を装備し、この第１のケーブル収納部の全体を覆う保護カバーを設けたもので、この保護カバーの一端部を支軸として前記デスク天板の裏面に起伏回動自在に装備し、この保護カバーを、その起伏回動の回動端がオペレータ側に位置するように配置したコンピュータデスク装置である。
【０００４】
特許文献２は、さらに増設やレイアウト変更を容易に行うことができるように構成したもので、デスク天板の後面に取り付けられるケーブル収納ボックスを設け、ケーブル収納ボックスの内部に、Ｚ型仕切部材で第１のケーブル収納スペースと、第２のケーブル収納スペースとの２つのスペースに区画し、第１のケーブル収納スペースに電源用ケーブルを収納し、第２のケーブル収納スペースにネットワーク用ケーブルを収納するようにしている。
【０００５】
特許文献３には、コンピュータを載置するデスク天板と、このデスク天板の上側一端部に配設される背面板とを備えたコンピュータデスク装置において、背面板内に、コンピュータに接続されるケーブルを収納するケーブル収納部を備えると共に、この背面板の前記天板に向かう方向及びその逆の方向に所定の開口部を設けたコンピュータデスク装置が記載されている。
【０００６】
【特許文献１】
特許第２７２３８２９号公報
【特許文献２】
特許第２９９４３５２号公報
【特許文献３】
特許第３３１７８５４号公報
【０００７】
【発明が解決しようとする課題】
各特許文献で提案されたコンピュータデスク装置では、いずれも配線作業の作業性向上を図り、床あるいは床下の工事を不要としているが、個々のデスクにケーブル収納部等の構成部材をそれぞれ設けた独立した構成になっているので、各デスクは構成部材と一体構造になっている。このため、パソコンを載置するために、一般のデスクと構造が異なるパソコン用デスクを使用する必要があった。
【０００８】
一方、一般のデスクにパソコン等を載置する場合は、パソコン及び周辺機器の配線ケーブルをデスクの背面に無秩序に配してしまうことが多い。その為、オフィスや学校などで、複数のパソコンを互いに接続する場合などにおいて、配線作業や配線の変更作業等が極めて手間の係る作業になっていた。
【０００９】
しかも、デスクの裏側で無秩序の状態になっている配線ケーブルを整理するために束状にまとめる場合もあるが、この場合、ケーブル個々の発熱量が集中することになり、安全性の問題が生じることになる。
【００１０】
そこで、本発明は上述の課題を解消すべく創出されたもので、一般のデスクにパソコン等を載置する場合でも、合理的な配線が可能になり、オフィスや学校等で多数のパソコンを互いに接続する場合も容易に、且つ、安全に行えるデスク用配線装置の提供を目的とするものである。
【００１１】
【課題を解決するための手段】
上述の目的を達成すべく本発明の第１の手段は、デスクＤの背面に沿って配する枠体状を成した脚体１０と、該脚体１０の上部に着脱自在に装着して配線ケーブルＰを収納するケーブルトレイ２０と、該ケーブルトレイ２０の開口上部を施蓋する蓋体３０とから成る。
【００１２】
第２の手段におけるケーブルトレイ２０は、収納した配線ケーブルＰの発熱を放出する放熱孔２１を多数設けたものである。
【００１３】
第３の手段において、蓋体３０は、ケーブルトレイ２０施蓋時にデスクＤの上面と略等しい高さに設置され、デスクＤに隣接する蓋体３０の長手側縁に沿って、配線ケーブルＰを前記ケーブルトレイ２０の内部に導入する配線ブラシ部３１を設ける。
【００１４】
第４の手段は、蓋体３０の上面に放熱用のスリット３２を開穿し、配線ケーブルＰを前記ケーブルトレイ２０の内部に垂直方向に導入する切欠口３３を設ける。
【００１５】
第５の手段は、脚体１０の内側に機器取付用のサイドボード１３を設けたことを課題解消のための手段とする。
【００１６】
本発明装置は、デスクＤの背面に沿って設置し、デスクＤの上に載置したパソコン及び周辺機器の配線ケーブルＰをケーブルユニット２０内に導入して蓋体３０を施蓋するものである。
【００１７】
【発明の実施の形態】
以下、図面を参照して本発明の実施の形態を説明する。本発明装置の基本構成は、脚体１０、ケーブルトレイ２０、蓋体３０からなり、デスクＤの背面に沿って設置するものである（図３参照）。
【００１８】
脚体１０は、使用するデスクＤの背面の幅と同じ長さに構成された略枠体状を成す（図１参照）。そして、脚体１０の開口した上面に後述するケーブルトレイ２０を着脱自在に装着する。図示の脚体１０は、略コ字状に形成された一対の脚部１１を上下二対の連結杆１２で平行に連結したものである。そして、上部の連結杆１２と脚体１１の屈曲された上部とで、ケーブルトレイ２０を収納するスペースを設けている。
【００１９】
さらに、脚体１０の内側に機器取付用のサイドボード１３を設けている（図１参照）。このサイドボード２２には、パソコンＳやデータボックスＴなどの周辺機器を装着することができる（図４参照）。
【００２０】
脚体１１の高さや幅は、使用するデスクＤに合わせ、後述する蓋体３０が、ケーブルトレイ２０を施蓋した時にデスクＤの上面と蓋体３０とが略等しい高さになるように設置している。こうすることで、本発明装置をデスクＤと並べたときに一体化して使用することができる。さらに、デスクＤの脚部と脚体１１とを連結具にて連結することも可能である。このデスクＤは、事務用デスクや学校で使用されるデスクなど、市販されている一般のデスクＤを対象にする。また、図示例のように、脚体１０に連結する特殊なデスクＤを使用することもできる（図３参照）。
【００２１】
すなわち図示例では、デスクＤの脚体Ｄ１をデスクＤの背面側に偏った位置に２対設け、天板１２の下のスペースをできるだけ広くした特殊なデスクＤと組み合わせている。この場合、脚体１０とデスクＤとを連結して始めてデスクとしての安定性を保つことができるようにしている（図３参照）。このようなデスクＤを使用することで、デスクＤの下のスペースを有効に利用することが可能になり、しかも、デスクＤ下のフリーアクセスフロアーを自由に開閉することもできる。脚体１０の脚体１１デスクＤの脚体Ｄ１とは、連結ボルトＲを貫通させて連結している。
【００２２】
ケーブルトレイ２０は、脚体１１の上部に装着する断面略倒コ字形の樋状を成している。このケーブルトレイ２０内部に配線ケーブルＰを収納配線する。このケーブルトレイ２０には、配線ケーブルＰの発熱を放出するための放熱孔２１を多数設けている（図１参照）。また、ケーブルトレイ２０には、配線ケーブルＰのほか、パソコン等の周辺機器を収納することも可能である。
【００２３】
蓋体３０は、ケーブルトレイ２０の開口した上部を施蓋するもので、ケーブルトレイ２０施蓋時にデスクＤの上面と略等しい高さに設置されている（図３参照）。また、配線ケーブルＰを前記ケーブルトレイ２０の内部に導入できるようにするため、デスクＤに隣接する蓋体３０の長手側縁に沿って配線ブラシ部３１を設けている（図１参照）。さらに、蓋体３０の上面には、放熱用のスリット３２を開穿し、配線ケーブルＰを前記ケーブルトレイ２０の内部に垂直方向に導入する切欠口３３を設けてある。尚、切欠口３３の周囲にゴム３４を配して配線ケーブルＰの保護を図っている。
【００２４】
図１及び図３に示す符号Ｅは、ディスプレイ支持装置Ｅを示している。このディスプレイ支持装置Ｅは、上面に支持用レールＥ１を設け、支持用レールＥ１の両側に取付部Ｅ２を設けている。この支持用レールＥ１や取付部Ｅ２にディスプレイ支持体Ｆを着脱自在に立設するものである。また、ディスプレイ支持装置Ｅの脚体内側面に沿ってケーブルリングＥ３を設けている（図１参照）。このケーブルリングＦ３は、配線ケーブルＰを支持するもので、支持用レールＥ１の隙間から通した配線ケーブルＰをまとめて配線する。本発明装置とディスプレイ支持装置Ｅを組み合わせて使用することで、より多彩なレイアウトが可能になる（図４参照）。
【００２５】
図示のディスプレイ支持体Ｆは、液晶のディスプレイ装置Ｑを支持する支持アームＦ１と、ＣＲＴのディスプレイ装置Ｑを載置するガントレーＦ２が示されている（図４参照）。そして、支持用レールＥ１に支持アームＦ１を立設し、支持用レールＥ１の両側に設けた取付部Ｅ２にガントレーＦ２を立設するようにしている。
【００２６】
【発明の効果】
本発明は、上述の如く構成したことにより当初の目的を達成する。すなわちデスクＤの背面に着脱自在に連結する枠体状を成した脚体１０と、該脚体１０の上部に着脱自在に装着して配線ケーブルＰを収納するケーブルトレイ２０と、該ケーブルトレイ２０の開口上部を施蓋する蓋体３０とから成るから、本発明装置をデスクＤの裏側に沿って設置するだけで、合理的な配線が可能になり、一般のデスクにパソコン等を載置する場合や、オフィスや学校等で多数のパソコンを互いに接続する場合でも極めて容易に配線することができる。
【００２７】
また、ケーブルトレイ２０は、収納した配線ケーブルＰの発熱を放出する放熱孔２１を多数設けているから、多数の配線ケーブルＰを収納配線した場合でも、安全に使用することが可能になった。
【００２８】
さらに、蓋体３０は、ケーブルトレイ２０施蓋時にデスクＤの上面と略等しい高さに設置されているので、蓋体３０の上面をデスクＤ上面の延長として使用することができる。また、この蓋体３０に設けた配線ブラシ部３１によって、ケーブルトレイ２０の内部にデスクＤのどこからでも配線ケーブルＰを収納できるようになり、面倒な配線作業は全く不要になった。しかも、デスクＤの上面に配線ケーブルＰが露出する状態を極力少なくすることも可能になるので、周辺機器の設置も合理化され、デスクＤの見栄えも良好にすることができる。
【００２９】
そして、蓋体３０の上面に放熱用のスリット３２を開穿し、配線ケーブルＰを前記ケーブルトレイ２０の内部に垂直方向に導入する切欠口３３を設けたことにより、蓋体３０施蓋時でもケーブルトレイ２０内部の温度上昇を防止すると共に、デスクＤ以外から配線される配線ケーブルＰでもケーブルトレイ２０内に導入し易くなっている。
【００３０】
さらに、脚体１０の内側に機器取付用のサイドボード１３を設けているので、デスクＤに載置するパソコン等の周辺機器を、このサイドボード１３に装着することができ、デスクＤの上面のスペースを広く使うことができる。
【００３１】
このように、本発明によると、一般のデスクにパソコン等を載置する場合でも、合理的な配線が可能になり、オフィスや学校等で多数のパソコンを互いに接続する場合も容易に、且つ、安全に行えるなどといった有益な種々の効果を奏するものである。
【図面の簡単な説明】
【図１】本発明のケーブルトレイと蓋体とを示す分解斜視図である。
【図２】本発明のケーブルトレイに配線ケーブルを配線した状態を示す要部分解斜視図である。
【図３】本発明の一使用例を示す分解斜視図である。
【図４】本発明の使用状態を示す概略側面図である。
【符号の説明】
Ｄ　デスク　　　　　　　　Ｄ１　脚体
Ｅ　ディスプレイ支持装置　Ｅ１　支持用レール
Ｅ２　取付部
Ｅ３　ケーブルリング
Ｆ　ディスプレイ支持体　　Ｆ１　支持アーム
Ｆ２　ガントレー
Ｐ　配線ケーブル
Ｑ　ディスプレイ装置
Ｒ　連結ボルト
Ｓ　パソコン
Ｔ　データボックス
１０　脚体
１１　脚部
１２　連結杆
１３　サイドボード
２０　ケーブルトレイ
２１　放熱孔
３０　蓋体
３１　配線ブラシ部
３２　スリット
３３　切欠口
３４　ゴム
【図１】
2004135736.tif 000003
【図２】
2004135736.tif 000004
【図３】
2004135736.tif 000005
【図４】
2004135736.tif 000006